【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
表示装置を、
編集画面内に、印刷媒体イメージ上に印刷データを表したプレビュー表示領域を表示する表示部と、
前記プレビュー表示領域上の任意の位置を指定するための操作部と、
前記操作部の操作に従って、前記表示部の表示制御を行う表示制御部と、して機能させるためのプログラムであって、
前記表示制御部は、前記印刷データ内のイメージデータが前記プレビュー表示領域に表示されている場合であって、前記操作部により前記プレビュー表示領域内における前記イメージデータの表示領域が指定された場合、前記イメージデータの種類を選択するためのイメージ選択画面を表示することを特徴とするプログラム。
【請求項２】
前記表示制御部は、前記印刷データ内のテキストデータが前記プレビュー表示領域に表示されている場合であって、前記操作部により前記テキストデータの表示領域が指定された場合、前記テキストデータを編集するためのテキスト編集画面を表示することを特徴とする請求項１に記載のプログラム。
【請求項３】
前記表示制御部は、前記印刷データ内のイメージデータがコード画像データであるか否かを判別し、前記操作部により前記コード画像データの表示領域が指定された場合は、前記コード画像データのコード情報を編集するためのコード情報編集画面を表示し、前記操作部により前記コード画像データ以外のイメージデータの表示領域が指定された場合は、前記イメージ選択画面を表示することを特徴とする請求項２に記載のプログラム。
【請求項４】
前記表示制御部は、前記操作部により前記プレビュー表示領域内における前記イメージデータの表示領域以外の領域が指定された場合、前記テキスト編集画面を表示することを特徴とする請求項２または３に記載のプログラム。
【請求項５】
前記表示制御部は、空白文字を前記テキストデータと看做すことを特徴とする請求項２ないし４のいずれか１項に記載のプログラム。
【請求項６】
前記テキストデータの表示領域は、前記テキストデータを含む矩形領域であることを特徴とする請求項２ないし５のいずれか１項に記載のプログラム。
【請求項７】
前記印刷媒体イメージは、印刷テープを示すテープイメージであり、
前記表示制御部は、前記操作部により前記テープイメージの前端または後端における所定領域が指定された場合、前記印刷データの前端および／または後端の余白長を設定するための余白設定画面を表示することを特徴とする請求項１ないし６のいずれか１項に記載のプログラム。
【請求項８】
前記イメージデータの表示領域は、前記イメージデータを含む矩形領域であることを特徴とする請求項１ないし７のいずれか１項に記載のプログラム。
【請求項９】
前記イメージデータの表示領域は、前記イメージデータの輪郭を拡張した当該輪郭に沿った領域であることを特徴とする請求項１ないし７のいずれか１項に記載のプログラム。
【請求項１０】
編集画面内に、印刷媒体イメージ上に印刷データを表したプレビュー表示領域を表示する表示部と、
前記プレビュー表示領域上の任意の位置を指定するための操作部と、
前記操作部の操作に従って、前記表示部の表示制御を行う表示制御部と、を備え、
前記表示制御部は、前記印刷データ内のイメージデータが前記プレビュー表示領域に表示されている場合であって、前記操作部により前記プレビュー表示領域内における前記イメージデータの表示領域が指定された場合、前記イメージデータの種類を選択するためのイメージ選択画面を表示することを特徴とする表示装置。
【請求項１１】
請求項１０に記載の表示装置と、
前記編集画面により編集した前記印刷データを、印刷装置に送信する送信部と、を備えたことを特徴とする携帯端末。
【請求項１２】
表示装置が、
編集画面内に、印刷媒体イメージ上に印刷データを表したプレビュー表示領域を表示する表示ステップと、
前記プレビュー表示領域上の任意の位置が指定された場合の位置情報を取得する位置情報取得ステップと、
前記位置情報に基づいて、前記編集画面の表示制御を行う表示制御ステップと、を実行し、
前記表示制御ステップでは、前記印刷データ内のイメージデータが前記プレビュー表示領域に表示されている場合であって、前記イメージデータの表示領域内の前記位置情報を取得した場合、前記イメージデータの種類を選択するためのイメージ選択画面を表示するように表示制御を行うことを特徴とする表示装置の制御方法。
【手続補正２】
【補正対象書類名】明細書
【補正対象項目名】発明の名称
【補正方法】変更
【補正の内容】
【発明の名称】プログラム、表示装置、携帯端末および表示装置の制御方法
【手続補正３】
【補正対象書類名】明細書
【補正対象項目名】０００１
【補正方法】変更
【補正の内容】
【０００１】
本発明は、印刷データを編集するための編集画面を表示するためのプログラム、表示装置、携帯端末および表示装置の制御方法に関するものである。
【手続補正４】
【補正対象書類名】明細書
【補正対象項目名】０００５
【補正方法】変更
【補正の内容】
【０００５】
本発明は、イメージ選択画面を表示するためのボタンを省略することができるプログラム、表示装置、携帯端末および表示装置の制御方法を提供することを課題としている。
【手続補正５】
【補正対象書類名】明細書
【補正対象項目名】０００６
【補正方法】変更
【補正の内容】
【０００６】
本発明のプログラムは、表示装置を、編集画面内に、印刷媒体イメージ上に印刷データを表したプレビュー表示領域を表示する表示部と、プレビュー表示領域上の任意の位置を指定するための操作部と、操作部の操作に従って、表示部の表示制御を行う表示制御部と、して機能させるためのプログラムであって、表示制御部は、印刷データ内のイメージデータがプレビュー表示領域に表示されている場合であって、操作部によりプレビュー表示領域内におけるイメージデータの表示領域が指定された場合、イメージデータの種類を選択するためのイメージ選択画面を表示することを特徴とする。
本発明の表示装置は、編集画面内に、印刷媒体イメージ上に印刷データを表したプレビュー表示領域を表示する表示部と、プレビュー表示領域上の任意の位置を指定するための操作部と、操作部の操作に従って、表示部の表示制御を行う表示制御部と、を備え、表示制御部は、印刷データ内のイメージデータがプレビュー表示領域に表示されている場合であって、操作部によりプレビュー表示領域内におけるイメージデータの表示領域が指定された場合、イメージデータの種類を選択するためのイメージ選択画面を表示することを特徴とする。
【手続補正６】
【補正対象書類名】明細書
【補正対象項目名】０００９
【補正方法】変更
【補正の内容】
【０００９】
上記のプログラムにおいて、表示制御部は、印刷データ内のテキストデータがプレビュー表示領域に表示されている場合であって、操作部によりテキストデータの表示領域が指定された場合、テキストデータを編集するためのテキスト編集画面を表示することが好ましい。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００３０
【補正方法】変更
【補正の内容】
【００３０】
以下、添付の図面を参照して、本発明のプログラム、表示装置、携帯端末および表示装置の制御方法について説明する。本実施形態では、表示装置として機能する携帯端末とテープ印刷装置とを有した印刷システムを例に挙げて説明する。